(57)【要約】【課題】ロケーションベース広告方法及びロケーションベース広告システムが開示される。【解決手段】本発明の一側面に係ると、前記のロケーションベース広告方法はロケーションベース広告システムのクライアント端末の位置を確認するステップ、前記ロケーションベース広告システムが確認した前記位置に基づいて、前記クライアント端末に表示される第１広告領域および第２広告領域それぞれに露出される少なくとも一つの第１広告情報又は少なくとも一つの第２広告情報を決定するステップ、及び前記ロケーションベース広告システムが決定した前記少なくとも一つの第１広告情報又は前記少なくとも一つの第２広告情報をそれぞれ前記第１広告領域又は前記第２広告領域に露出されるようにするステップを含み、前記少なくとも一つの第１広告情報は地域単位を対象として実行されるビディングの結果及び前記位置に基づき決定され、前記少なくとも一つの第２広告情報又は前記位置とそれぞれの広告情報に相応する広告主対応位置に基づき決定されることを特徴とする。【選択図】図２
2019501449.tif 000002
【特許請求の範囲】
【請求項１】
ロケーションベース広告システムは、クライアント端末の位置を確認するステップ；前記ロケーションベース広告システムが確認した、前記の位置に基づいて前記クライアント端末に表示される第１広告領域及び第２広告領域それぞれに露出される少なくとも一つの第１広告情報または少なくとも一つの第２広告情報を決定するステップ;及び前記ロケーションベース広告システムが決定した前記少なくとも一つの第１広告情報又は前記少なくとも一つの第２広告情報をそれぞれ前記第１広告領域または前記第２広告領域に露出するようにするステップとを含み、前記少なくとも一つの第１広告情報は、地域単位を対象に実行されるビディング（ｂｉｄｄｉｎｇ）の結果と前記位置に基づいて決定され、前記少なくとも一つの第２広告情報は、前記の位置と、それぞれの広告情報に対応する広告主対応位置に基づいて決定されることを特徴とするロケーションベース広告方法。
【請求項２】
前記ロケーションベース広告方法は、前記ロケーションベース広告システムが対象分類別に地域単位をビディングするステップをさらに含み、前記ロケーションベース広告システムが確認した、前記の位置に基づいて前記クライアント端末に表示さされている第１広告領域及び第２広告領域それぞれに露出される少なくとも一つの第１広告情報または少なくとも一つの第２広告情報を決定するステップは、前記クライアント端末から特定の対象分類が選択されている場合、前記のロケーションベース広告システムが前記の特定の対象分類について前記位置に対応する地域単位を落札した落札広告主の広告情報を前記第１広告情報として決定する請求項１に記載のロケーションベース広告方法。
【請求項３】
前記ロケーションベース広告システムが確認した前記の位置に基づいて、前記クライアント端末に表示される第１広告領域及び第２広告領域それぞれに露出される少なくとも一つの第１広告情報または少なくとも一つの第２広告情報を決定するステップは、前記ロケーションベース広告システムが前記位置が前記落札広告主の広告主対応位置を基準に予め決められた前記落札者の対応領域内に属するかを判断する対応領域条件を満たしているか（判断する）ステップ; 及び前記位置が前記対応領域条件を満すことで、前記ロケーションベース広告システムは前記落札広告主の広告情報を前記第１広告情報として決定するステップをさらに含む請求項２に記載のロケーションベース広告方法。
【請求項４】
前記ロケーションベース広告システムが確認した、前記の位置に基づいて前記クライアント端末に表示される第１広告領域及び第２広告領域それぞれに露出される少なくとも一つの第１広告情報または少なくとも一つの第２広告情報を決定するステップは、前記の位置が前記落札広告主の対応領域条件を満たしていない場合、前記落札広告主の広告情報を前記第１広告情報と前記第２広告情報のうちいずれか一つとも選択しないステップをさらに含む請求項３に記載のロケーションベース広告方法。
【請求項５】
前記対応領域は、前記広告主対応位置を基準に所定の半径内に属する領域であることを特徴とする請求項３に記載のロケーションベース広告方法。
【請求項６】
前記半径は、前記対象分類別に異なって設定することがあることを特徴とする請求項５に記載のロケーションベース広告方法。
【請求項７】
前記対応領域は、前記広告主対応位置を基準に所定の半径内にある領域に、前記落札広告主が落札した地域単位の一部が含まれない場合、含まれていない前記の一部の領域を含むように設定されたり、所定の地図情報上で所定の端末によって描ドローイングされる領域を含むように設定されることを特徴とする請求項５に記載のロケーションベース広告方法。
【請求項８】
前記第１広告領域は、あらかじめ決められた複数の広告の位置を含み、それぞれの広告の位置別に前記ビディングの結果に基づいて落札広告主が決定されることを特徴とする請求項３に記載のロケーションベース広告方法。
【請求項９】
前記ロケーションベース広告システムが決定した前記少なくとも一つの第１広告情報又は前記少なくとも一つの第２広告情報をそれぞれ前記第１広告領域または前記第２広告領域に露出するようにするステップは、前記ロケーションベース広告システムが、前記複数の広告の位置の中で優先順位広告の位置である落札広告主が前記対応領域条件を満たしていないと判断し、下位優先順位広告である落札広告主が前記対応領域条件を満たしていると判断する場合、前記下位優先順位広告である落札広告主の広告情報を、前記優先順位広告の位置に露出するようにするステップを含む請求項８に記載のロケーションベース広告方法。
【請求項１０】
前記ロケーションベース広告方法は、少なくとも一つの広告の位置を含む前記第１広告領域の前記少なくとも一つの広告の位置別にビディングを実行するステップをさらに含み、前記少なくとも一つの広告位置別にビディングを実行するステップは、過去の一定期間の間前記少なくとも一つの広告の位置それぞれに露出された広告情報を通じて発生した注文の経済価値に基づいて前記ロケーションベース広告システムが、前記少なくとも一つの広告の位置別基準入札価格を算定するステップ、及び算定された前記少なくとも一つの広告の位置別の基準入札価格に基づいてビディングを実行するステップを含む請求項１に記載のロケーションベース広告方法。
【請求項１１】
前記少なくとも一つの広告の位置別の広告情報を通じて実行された注文は、特定の広告の位置を落札した落札広告主以外に、他の広告主の広告情報を通じて実行された注文を含むことを特徴とする請求項１０に記載のロケーションベース広告方法。
【請求項１２】
前記広告主対応位置は、広告主の店舗に対応する位置を含み、選択的に前記広告によって設定された位置をさらに含むことができることを特徴とする請求項１に記載のロケーションベース広告方法。
【請求項１３】
前記ロケーションベース広告システムが確認した、前記の位置に基づいて前記クライアント端末に表示される第１広告領域及び第２広告領域それぞれに露出される少なくとも一つの第１広告情報と少なくとも一つの第２広告情報を決定するステップは、前記クライアント端末から特定の対象分類が選択されている場合、前記ロケーションベース広告システムが、前記特定の対象分類に対応する広告主のうち、前記の位置に対応する地域単位の未落札者でありながら、広告主対応位置に基づいて設定される対応領域に前記位置が含まれる広告主である少なくとも１人の第２広告主の広告情報を前記第２広告情報で決定する請求項１に記載のロケーションベース広告方法。
【請求項１４】
前記ロケーションベース広告システムが決定した前記少なくとも一つの第１広告情報又は前記少なくとも一つの第２広告情報をそれぞれ前記第１広告領域または前記第２広告領域に露出するようにするステップは、前記少なくとも１人の第２広告主それぞれの広告主対応位置と前記位置との間の距離が近い順に前記第２広告領域の優先順位の位置に、前記少なくとも１人の第２広告主の広告情報を露出させるステップを含む請求項１３に記載のロケーションベース広告方法。
【請求項１５】
ロケーションベース広告システムは、クライアント端末の位置を確認するステップ；及び前記ロケーションベース広告システムが確認した、前記の位置に基づいて前記クライアント端末に表示される所定の広告領域に露出される少なくとも一つの広告情報を決定するステップ; 前記ロケーションベース広告システムが決定した前記少なくとも一つの広告情報を前記広告領域に露出するようにするステップとを含み、前記少なくとも一つの第１広告情報は、前記クライアント端末から所定の対象分類が選択されている場合には、前記対象分類について前記位置に対応する地域単位を落札した落札広告主の広告情報を含むことを特徴とするロケーションベース広告方法。
【請求項１６】
前記ロケーションベース広告システムが確認した、前記の位置に基づいて前記クライアント端末に表示される所定の広告領域に露出される少なくとも一つの広告情報を決定するステップは、前記ロケーションベース広告システムが前記の位置が前記落札広告主の広告主対応位置を基準として予め決められた対応領域内に属するかを判断する対応領域条件を満たしているかどうか判断するステップ; 及び前記位置が前記対応領域条件を満すことで、前記ロケーションベース広告システムは前記落札広告主の広告情報を前記広告情報として決定するステップを含む請求項１５に記載のロケーションベース広告方法。
【請求項１７】
ロケーションベース広告システムは、クライアント端末に表示され、少なくとも一つの広告の位置を含む広告領域に露出される少なくとも一つの広告情報を決定するために、前記の少なくとも一つの広告の位置別にビディングを実行するステップ；及び前記ロケーションベース広告システムが、前記クライアント端末の位置と前記ビディングの結果に基づいて前記広告領域に露出される広告情報を決定するステップとを含み、前記少なくとも一つの広告の位置別にビディングを実行するステップは、過去一定期間の間前記少なくとも一つの広告の位置それぞれに露出された広告情報を通じて発生した注文の経済価値に基づいて前記ロケーションベース広告システムが、前記少なくとも一つの広告の位置別の基準入札価格を算定するステップ；及び算定された前記少なくとも一つの広告の位置別の基準入札価格に基づいてビディングを実行するステップを含むロケーションベース広告方法。
【請求項１８】
ロケーションベース広告システムが複数の広告の位置を含む広告領域の広告情報を露出するために前記複数の広告の位置それぞれについてビディングを実行し、落札広告主を選定するステップ；前記ロケーションベース広告システムは、クライアント端末の位置を確認するステップ;及び前記ロケーションベース広告システムが確認した、前記の位置に基づいて前記クライアント端末に表示され、複数の広告の位置を含む広告領域に露出される少なくとも一つの広告情報を決定するステップを含み、前記ロケーションベース広告システムが確認前記の位置に基づいて前記クライアント端末に表示され、複数の広告の位置を含む広告領域に露出される少なくとも一つの広告情報を決定するステップは、前記ロケーションベース広告システムが、前記複数の広告の位置の中で優先順位広告の位置の優先落札広告主が所定の対応領域条件を満たしていないと判断し、下位優先順位広告である落札広告主が前記対応領域条件を満たしていると判断する場合、前記下位優先順位広告である落札広告主の広告情報を前記優先順位広告の位置に露出されるようにするステップを含み、前記対応領域条件は広告主の広告主対応位置に基づいて設定される対応領域が前記の位置が含まれている場合に満足すると判断されることを特徴とするロケーションベース広告方法。
【請求項１９】
データ処理装置にインストールされ、第１項ないし第１８項のいずれか１項に記載された方法を実行するために記録媒体に格納されたコンピュータプログラム。
【請求項２０】
クライアント端末の位置を確認するためのクライアントモジュール;確認した前記の位置に基づいて、前記クライアント端末に表示される第１広告領域及び第２広告領域それぞれに露出される少なくとも一つの第１広告情報または少なくとも一つの第２広告情報を決定するための広告決定モジュール;及び決定された前記少なくとも一つの第１広告情報又は前記少なくとも一つの第２広告情報をそれぞれ前記第１広告領域または前記第２広告領域に露出するようにするための制御モジュールとを含み、前記広告決定モジュールは、地域単位を対象に実行されるビディング（ｂｉｄｄｉｎｇ）の結果及び前記位置に基づいて前記少なくとも一つの第１広告情報を決定し、前記の位置とそれぞれの広告情報に対応する広告主対応位置に基づいて前記少なくとも一つの第２広告情報を決定することを特徴とするロケーションベース広告システム。
【請求項２１】
前記ロケーションベース広告システムは、対象分類別に地域単位をビディングするためのビディングモジュールをさらに含み、前記広告決定モジュールは、前記クライアント端末から特定の対象分類が選択されている場合、前記の特定の対象分類について前記の位置に対応する地域単位を落札した落札広告主の広告情報を前記第１広告情報として決定する請求項２０に記載のロケーションベース広告システム。
【請求項２２】
前記広告決定モジュールは、前記の位置が前記落札広告主の広告主対応位置を基準に所定の前記落札者の対応領域内に属するかを判断する対応領域条件を満たしているか判断し、前記の位置が前記対応領域条件を満すことで、前記ロケーションベース広告システムは、前記落札広告主の広告情報を前記第１広告情報として決定する請求項２１に記載のロケーションベース広告システム。
【請求項２３】
前記第１広告領域は、あらかじめ決められた複数の広告の位置を含み、それぞれの広告の位置別に前記ビディングの結果に基づいて落札広告主が決定されることを特徴とする請求項２２に記載のロケーションベース広告方法。
【請求項２４】
前記制御モジュールは、前記広告決定モジュールが前記複数の広告の位置の中で優先順位広告の位置である落札広告主が前記対応領域条件を満たしていないと判断し、下位優先順位広告である落札広告主が前記対応領域条件を満たしていると判断する場合、前記下位優先順位広告である落札広告主の広告情報を、前記優先順位広告の位置に露出するようにする請求項２３に記載のロケーションベース広告システム。
【請求項２５】
前記ロケーションベース広告システムは、少なくとも一つの広告の位置を含む前記第１広告領域の前記少なくとも一つの広告の位置別にビディングを実行するためのビディングモジュールをさらに含み、前記ビディングモジュールは過去の一定期間の間、前記少なくとも一つの広告の位置それぞれに露出された広告情報を通じて発生した注文の経済価値に基づいて前記ロケーションベース広告システムが、前記少なくとも一つの広告の位置別の基準入札価格を算定し、算定された前記少なくとも一つの広告の位置別の基準入札価格に基づいてビディングを実行する請求項２０に記載のロケーションベース広告システム。
【請求項２６】
前記広告主対応位置は、広告主の店舗に対応する位置を含み、選択的に前記広告主によって設定された位置をさらに含むことができることを特徴とする請求項２０に記載のロケーションベース広告システム。
【請求項２７】
前記広告決定モジュールは、前記クライアント端末から特定の対象分類が選択されている場合、前記の特定の対象分類に対応する広告主のうち、前記の位置に対応する地域単位の未落札者でありながら、広告主対応位置に基づいて設定されている対応領域に前記位置が含まれる広告主である少なくとも１人の第２広告主の広告情報を前記第２広告情報で決定する請求項２０に記載のロケーションベース広告システム。
【請求項２８】
クライアント端末の位置を確認するためのクライアントモジュール；前記クライアントモジュールが確認し、前記の位置に基づいて前記クライアント端末に表示される所定の広告領域に露出される少なくとも一つの広告情報を決定するための広告決定モジュール;及び決定された前記少なくとも一つの広告情報を前記広告領域に露出されるようにする制御モジュールを含み、前記少なくとも一つの第１広告情報は、前記クライアント端末から所定の対象分類が選択されている場合、前記対象分類について前記位置に対応する地域単位を落札した落札広告主の広告情報を含むことを特徴とするロケーションベース広告システム。
【請求項２９】
前記広告決定モジュールは、前記の位置が前記落札広告主の広告主対応位置を基準として予め決められた対応領域内に属するかを判断する対応領域条件を満たしているかどうかを判断し、前記位置が前記対応領域条件を満足しなければ、前記落札広告主の広告情報を前記広告情報として決定する請求項２８に記載のロケーションベース広告システム。
【請求項３０】
クライアント端末に表示され、少なくとも一つの広告の位置を含む広告領域に露出される少なくとも一つの広告情報を決定するために、前記の少なくとも一つの広告の位置別にビディングを実行するビディングモジュール;及び前記クライアント端末の位置と前記ビディングの結果に基づいて前記広告領域に露出される広告情報を決定する広告決定モジュールを含み、前記ビディングモジュールは過去一定期間の間前記少なくとも一つの広告の位置それぞれにさらさ広告情報を通じて発生した注文の経済価値に基づいて前記少なくとも一つの広告の位置別の基準入札価格を算定し、算定された前記少なくとも一つの広告の位置別の基準入札価格に基づいてビディングを実行するロケーションベース広告システム。
【請求項３１】
複数の広告の位置を含む広告領域の広告情報を露出するために前記複数の広告の位置の各々について、ビディングを実行し、落札広告主を選定するビディングモジュール;クライアント端末の位置を確認するクライアントモジュール;及び確認した前記の位置に基づいて前記クライアント端末に表示され、複数の広告の位置を含む広告領域に露出される少なくとも一つの広告情報を決定する広告決定モジュール;及び前記広告決定モジュールによって前記複数の広告の位置の中で優先順位広告位置の優先落札広告主が所定の対応領域条件を満たしていないと判断され、下位優先順位広告である落札広告主が前記対応領域条件を満たしていると判断される場合、前記下位優先順位広告である落札広告主の広告情報を、前記優先順位広告の位置に露出されるようにする制御モジュールとを含み、前記対応領域条件は、広告主の広告主対応位置に基づいて設定される対応領域が前記の位置を含む場合に満足すると判断されることを特徴とするロケーションベース広告システム。
【発明の詳細な説明】
【技術分野】
【０００１】
本発明は、ユーザーの所在地に基づいて差別的な広告情報を提供するための方法およびシステムに関するものである。特に広告主が地域単位として入札することができ、これらの入札結果をさまざまな要素と一緒に考慮して、効率的かつ公平な広告がユーザーに提供されることができるようにする方法およびシステムに関するものである。
【背景技術】
【０００２】
オンライン環境では、ユーザーは、オンラインで情報を取得し、 消費する際に習得された情報を参考する傾向が強いので、特定の事業主体の広報のための広告情報をどのようにユーザーに露出させるかどうかは、ビジネス上の要素に非常に重要な要素として考慮されている。
【０００３】
これらの重要性は、情報の流通媒体がポータルサイトを中心に行われられていた環境では、ユーザーが特定のキーワードに基づいて検索を実行すると、どの広告情報を露出させるか、または露出される広告情報をＷｅｂクライアント上で任意の位置に露出させるかの方法で具体化された。
【０００４】
既存のポータルサイトを中心とした環境だけでなく、最近のモバイル環境でも、ユーザーに広告情報を効果的かつ公正に提供することは、やはり非常に重要な要素である。
【０００５】
特にモバイル環境が台頭に伴い、情報またはサービスを提供するチャネル（例えば、モバイル・アプリケーションなど）が多様化しており、これにより、従来のポータルサイトが提供していた画一化された広告の方法だけでなく、サービスの種類に応じて特化した広告の方法が必要となっている。
【０００６】
さらに最近のこのようなモバイル環境では、ユーザー（クライアント端末）の位置を容易に確認することができ、これらのユーザーの位置とサービスの特性に応じて効果的でありながらも公正に広告情報をユーザーに露出することができる方法が求められている。
【先行技術文献】
【特許文献】
【０００７】
韓国登録特許公報第１０−１３２４１０６号、「クライアントの位置に連動した広告の露出順位管理装置及び管理方法」
【発明の概要】
【発明が解決しようとする課題】
【０００８】
本発明は、広告主が所定の位置（例えば、広告主の店や会社の位置）に基づいて、一定の範囲内でサービスを提供しようとする場合には、これらの広告主に効果的でありながら公正な広告露出の機会を提供することができるよう方法およびシステムを提供するものである。
【０００９】
また、クライアント端末上で広告が露出される位置別にビディング（ｂｉｄｄｉｎｇ、入札）を通じて広告主を選定するが、広告主の広告に対する表示回数に応じた経済的負担を合理的に制限するために、広告の位置別に所定の過去の期間中の広告効果を合理的に計算して広告主に提供することにより、比較的公平な広告の方法を提供するものである。
【００１０】
また、地域単位を入札の対象とし、入札結果に基づいて公開される広告を決定するが、入札の結果に基づいて広告が露出される領域だけでなく、入札の結果とは無関係に、広告情報が露出される領域を一緒に提供することで、入札の結果に応じて、広告が露出される弊害を防ぐことができる広告の方法を提供するものである。
【００１１】
また、露出する広告を決定する際に、広告主に対応する位置に基づいて設定される所定の対応領域を考慮することで、実際のサービス提供現実（例えば、広告主別にサービス提供のカバレッジが存在する場合）を考慮した広告情報の露出が可能なようにする広告の方法を提供するものである。
【課題を解決するための手段】
【００１２】
本発明の一側面によれば、前記ロケーションベース広告方法は、ロケーションベース広告システムがクライアント端末の位置を確認するステップ、前記ロケーションベース広告システムが確認した、前記の位置に基づいて前記クライアント端末に表示される第１広告領域及び第２広告領域それぞれに露出される少なくとも一つの第１広告情報または少なくとも一つの第２広告情報を決定するステップ、及び前記ロケーションベース広告システムが決定した前記少なくとも一つの第１広告情報又は前記少なくとも一つの第２広告情報をそれぞれ前記第１広告領域または前記第２広告領域に露出されるようにするステップとを含み、前記少なくとも一つの第１広告情報は、地域単位を対象に実行されるビディング（ｂｉｄｄｉｎｇ）の結果と前記の位置に基づいて決定され、前記少なくとも一つの第２広告情報は、前記の位置とそれぞれの広告情報に対応する広告主に対応する位置に基づいて決定されることを特徴とする。
【００１３】
前記ロケーションベース広告方法は、前記ロケーションベース広告システムが対象分類別に地域単位をビディングするステップをさらに含み、前記ロケーションベース広告システムが確認した、前記の位置に基づいて前記クライアント端末に表示される第１広告領域と第２広告領域それぞれに露出される少なくとも一つの第１広告情報または少なくとも一つの第２広告情報を決定するステップは、前記クライアント端末から特定の対象分類が選択されている場合、前記ロケーションベース広告システムが、前記特定の対象分類にについて前記の位置に対応する地域単位を落札した落札広告主の広告情報を前記第１広告情報として決定することができる。
【００１４】
前記ロケーションベース広告システムが確認した前記の位置に基づいて前記クライアント端末に表示される第１広告領域及び第２広告領域それぞれに露出される少なくとも一つの第１広告情報または少なくとも一つの第２広告情報を決定するステップは前記ロケーションベース広告システムが、前記位置が前記落札広告主の広告主対応位置を基準として予めに決められた前記落札者の対応領域内に属するかを判断する対応領域条件を満たしているかどうかを判断するステップ、及び前記位置が前記対応領域条件を満たすのなら、前記ロケーションベース広告システムは、前記落札広告主の広告情報を前記第１広告情報として決定するステップとをさらに含むことができる。
【００１５】
前記ロケーションベース広告システムが確認した前記の位置に基づいて前記クライアント端末に表示される第１広告領域及び第２広告領域それぞれに露出される少なくとも一つの第１広告情報または少なくとも一つの第２広告情報を決定するステップ前記位置が前記落札広告主の対応領域条件を満たしていない場合、前記落札広告主の広告情報を前記第１広告情報と前記第２広告情報のうちいずれか一つも選択しないステップをさらに含むことができる。
【００１６】
前記対応領域は、前記広告主対応位置を基準に所定の半径内に属する領域であることを特徴とすることができ、前記半径は前記対象分類別に異なって設定できることを特徴とすることもできる。
【００１７】
また、前記対応領域は、前記広告主対応位置を基準に所定の半径内にある領域に、前記落札広告主が落札した地域単位の中一部が含まれていない場合、含まれていない前記の一部の領域を含むように設定されるか、所定の地図情報上で所定の端末によってドローイング（Ｄｒａｗｉｎｇ）される領域を含むように設定されることを特徴とすることもできる。
【００１８】
前記第１広告領域は、あらかじめ決められた複数の広告の位置を含み、それぞれの広告の位置別に前記ビディングの結果に基づいて落札広告主が決定されることを特徴とすることもできる。
【００１９】
また、前記ロケーションベース広告システムが決定した前記少なくとも一つの第１広告情報又は前記少なくとも一つの第２広告情報をそれぞれ前記第１広告領域または前記第２広告領域に露出するようにするステップは、前記ロケーションベース広告システムが前記複数の広告の位置の中で優先順位広告の位置（ｆｉｒｓｔ  ａｄｖｅｒｔｉｓｅｍｅｎｔ  ｐｏｓｉｔｉｏｎ）の落札広告主が前記対応領域条件を満たしていないと判断し、下位優先順位広告の位置である落札広告主が前記対応領域条件を満たしていると判断する場合には、前記下位優先順位広告である落札広告主の広告情報を、前記優先順位広告の位置に露出するようにするステップを含むこともできる。
【００２０】
前記ロケーションベース広告方法は、少なくとも一つの広告の位置を含む前記第１広告領域の前記少なくとも一つの広告の位置別にビディングを実行するステップをさらに含み、前記少なくとも一つの広告の位置別にビディングを実行するステップは、過去の一定期間の間、前記少なくとも一つの広告の位置それぞれに露出された広告情報を通じて発生した注文の経済価値に基づいて前記ロケーションベース広告システムが、前記少なくとも一つの広告の位置別の基準入札価格（ｒｅｆｅｒｅｎｃｅ  ｂｉｄｄｉｎｇ  ｐｒｉｃｅ、予定価格）を算定するステップと算定された前記少なくとも一つの広告の位置別の基準入札価格に基づいてビディングを実行するステップを含むこともできる。
【００２１】
前記少なくとも一つの広告の位置別の広告情報を通じて実行された注文は、特定の広告の位置を落札した落札広告主のほか、他の広告主の広告情報を通じて実行された注文を含むことを特徴とすることができる。
【００２２】
前記広告主対応位置は、広告主の店舗に対応する位置を含み、選択的に前記広告によって設定された位置をさらに含むことができることを特徴とすることもできる。
【００２３】
また、前記ロケーションベース広告システムが確認した、前記の位置に基づいて前記クライアント端末に表示される第１広告領域及び第２広告領域それぞれに露出される少なくとも一つの第１広告情報と少なくとも一つの第２広告情報を決定ステップは、前記クライアント端末から特定の対象分類が選択されている場合、前記ロケーションベース広告システムが、前記特定の対象分類に対応する広告主のうち、前記の位置に対応する地域単位の未落札者でありながら、広告主対応位置に基づいて設定される対応領域に前記の位置が含まれている広告主である少なくとも１人の第２広告主の広告情報を前記第２広告情報で決定するステップを含むことができる。
【００２４】
前記ロケーションベース広告システムが決定した前記少なくとも一つの第１広告情報又は前記少なくとも一つの第２広告情報をそれぞれ前記第１広告領域または前記第２広告領域に露出するようにするステップは、前記少なくとも１人の第２広告主それぞれの広告主対応位置と前記位置との間の距離が近い順に前記第２広告領域の優先順位である位置に、前記少なくとも１人の第２広告主の広告情報を露出させるステップを含むこともできる。
【００２５】
前記ロケーションベース広告方法は、ロケーションベース広告システムは、クライアント端末の位置を確認するステップ、前記ロケーションベース広告システムが確認した、前記の位置に基づいて前記クライアント端末に表示される所定の広告領域に露出される少なくとも一つの広告情報を決定するステップと、前記ロケーションベース広告システムが決定した前記少なくとも一つの広告情報を前記広告領域に露出するようにするステップを含み、前記少なくとも一つの第１広告情報は、前記クライアント端末から所定の対象分類が選択されている場合、前記対象分類について前記位置に対応する地域単位を落札した落札広告主の広告情報を含むことを特徴とする。
【００２６】
前記ロケーションベース広告システムが確認した、前記の位置に基づいて前記クライアント端末に表示される所定の広告領域に露出される少なくとも一つの広告情報を決定するステップは、前記ロケーションベース広告システムが、前記位置が前記落札広告主の広告主対応位置を基準として予め決められた対応領域内に属するかを判断する対応領域条件を満たしているかどうか判断するステップ及び前記位置が前記対応領域条件を満たすことで、前記ロケーションベース広告システムは、前記落札広告主の広告情報を前記広告情報として決定するステップを含むことができる。
【００２７】
前記ロケーションベース広告方法は、ロケーションベース広告システムは、クライアント端末に表示され、少なくとも一つの広告の位置を含む広告領域に露出される少なくとも一つの広告情報を決定するために、前記の少なくとも一つの広告の位置別にビディングを実行するステップ、及び前記ロケーションベース広告システムが、前記クライアント端末の位置と前記ビディングの結果に基づいて前記広告領域に露出される広告情報を決定するステップを含み、前記少なくとも一つの広告の位置別にビディングを実行するステップは、過去一定期間の間、前記少なくとも一つの広告の位置それぞれに露出された広告情報を通じて発生した注文の経済価値に基づいて前記ロケーションベース広告システムが、前記少なくとも一つの広告の位置別の基準入札価格を算定するステップと算定された前記少なくとも一つの広告の位置別の基準入札価格に基づいてビディングを実行するステップを含む。
【００２８】
また、前記のロケーションベース広告方法は、ロケーションベース広告システムが複数の広告の位置を含む広告領域に広告情報を露出するために前記複数の広告の位置それぞれについて、ビディングを実行して落札広告主を選定するステップ、前記ロケーションベース広告システムは、クライアント端末の位置を確認するステップ、前記ロケーションベース広告システムが確認した、前記の位置に基づいて前記クライアント端末に表示され、複数の広告の位置を含む広告領域に露出される少なくとも一つの広告情報を決定するステップとを含み、前記ロケーションベース広告システムが確認した、前記の位置に基づいて前記クライアント端末に表示され、複数の広告の位置を含む広告領域に露出される少なくとも一つの広告情報を決定するステップは、前記ロケーションベース広告システムが、前記複数の広告の位置のうち優先順位広告の位置の優先落札広告主が所定の対応領域条件を満たしていないと判断し、下位優先順位広告である落札広告主が前記対応領域条件を満たしていると判断する場合、前記下位優先順位広告である落札広告主の広告情報を、前記優先順位広告の位置に露出するようにするステップを含み、前記対応領域条件は、広告主の広告主対応位置に基づいて設定される対応領域が前記の位置が含まれている場合に満足すると判断されることを特徴とする。
【００２９】
前記ロケーションベース広告方法は、データ処理装置にインストールされて格納されたコンピュータプログラムによって実装されることができる。
【００３０】
前記の技術的課題を解決するためのロケーションベース広告システムは、クライアント端末の位置を確認するためのクライアントモジュール、確認前記の位置に基づいて、前記クライアント端末に表示される第１広告領域及び第２広告領域のそれぞれに露出される少なくとも一つの第１広告情報または少なくとも一つの第２広告情報を決定するための広告決定モジュール、及び決定された前記少なくとも一つの第１広告情報又は前記少なくとも一つの第２広告情報をそれぞれ前記第１広告領域又は前記第２広告領域に露出するようにするための制御モジュールを含み、前記広告決定モジュールは、地域単位を対象に実行されるビディング（ｂｉｄｄｉｎｇ）の結果と前記位置に基づいて前記少なくとも一つの第１広告情報を決定し、前記の位置と、それぞれの広告情報に対応する広告主対応位置に基づいて前記少なくとも一つの第２広告情報を決定することを特徴とする。
【００３１】
前記ロケーションベース広告システムは、対象分類別に地域単位をビディングするためのビディングモジュールをさらに含み、前記広告決定モジュールは、前記クライアント端末から特定の対象分類が選択されている場合、前記の特定の対象分類について前記位置に相当する地域単位を落札した落札広告主の広告情報を前記第１広告情報として決定することができる。
【００３２】
前記広告決定モジュールは、前記位置が前記落札広告主の広告主対応位置を基準に予めに決められた前記落札者の対応領域内に属するかを判断する対応領域条件を満たしているかどうかを判断し、前記位置が前記対応領域条件を満たすことで、前記ロケーションベース広告システムは、前記落札広告主の広告情報を前記第１広告情報として決定することができる。
【００３３】
前記第１広告領域は、あらかじめ決められた複数の広告の位置を含み、それぞれの広告の位置別に前記ビディングの結果に基づいて落札広告主が決定されることを特徴とすることができる。
【００３４】
前記制御モジュールは、前記広告決定モジュールが、前記複数の広告の位置の中で優先順位広告の位置である落札広告主が前記対応領域条件を満たしていないと判断し、下位優先順位広告である落札広告主が前記対応領域条件を満たしていると判断する場合、前記下位優先順位広告である落札広告主の広告情報を、前記優先順位広告の位置に露出するようにすることができる。
【００３５】
前記ロケーションベース広告システムは、少なくとも一つの広告の位置を含む前記第１広告領域の前記少なくとも一つの広告の位置別にビディングを実行するためのビディングモジュールをさらに含み、前記ビディングモジュールは、過去一定期間の間、前記少なくとも一つの広告の位置それぞれに露出された広告情報を通じて発生した注文の経済価値に基づいて前記ロケーションベース広告システムが、前記少なくとも一つの広告の位置別の基準入札価格を算定し、算定された前記少なくとも一つの広告の位置別の基準入札価格に基づいてビディングを行うことができる。
【００３６】
前記広告決定モジュールは、前記クライアント端末から特定の対象分類が選択されている場合、前記の特定の対象分類に対応する広告主のうち、前記の位置に対応する地域単位の未落札者でありながら、広告主対応位置に基づいて設定される対応領域に前記位置が含まれている広告主である少なくとも１人の第２広告主の広告情報を前記第２広告情報で決定することができる。
【００３７】
前記ロケーションベース広告システムは、クライアント端末の位置を確認するためのクライアントモジュール、前記クライアントモジュールが確認した前記の位置に基づいて前記クライアント端末に表示される所定の広告領域に露出される少なくとも一つの広告情報を決定するための広告決定モジュール、及び決定された前記少なくとも一つの広告情報を前記広告領域に露出されるようにする制御モジュールとを含み、前記少なくとも一つの第１広告情報は、前記クライアント端末から所定の対象分類が選択されている場合には、前記対象分類について前記位置に対応する地域単位を落札した落札広告主の広告情報を含むことを特徴とする。
【００３８】
前記広告決定モジュールは、前記位置が前記落札広告主の広告主対応位置を基準として予め決められた対応領域内に属するかを判断する対応領域条件を満たしているかどうかを判断し、前記位置が前記対応領域条件を満すことで、前記の落札広告主の広告情報を前記広告情報に決定することができる。
【００３９】
前記ロケーションベース広告システムは、クライアント端末に表示され、少なくとも一つの広告の位置を含む広告領域に露出される少なくとも一つの広告情報を決定するために、前記の少なくとも一つの広告の位置別にビディングを実行するビディングモジュールと、前記クライアント端末の位置と前記ビディングの結果に基づいて前記広告領域に露出される広告情報を決定する広告決定モジュールを含み、前記ビディングモジュールは、過去一定期間の間、前記少なくとも一つの広告の位置それぞれに露出された広告情報により発生した注文の経済価値に基づいて前記少なくとも一つの広告の位置別の基準入札価格を算定し、算定された前記少なくとも一つの広告の位置別の基準入札価格に基づいてビディングを実行する。
【００４０】
前記ロケーションベース広告システムは、複数の広告の位置を含む広告領域の広告情報を露出するために前記複数の広告の位置の各々について、ビディングを実行し、落札広告主を選定するビディングモジュールは、クライアント端末の位置を確認クライアントモジュールは、と確認した前記の位置に基づいて前記クライアント端末に表示され、複数の広告の位置を含む広告領域に露出される少なくとも一つの広告情報を決定する広告決定モジュールは、前記広告決定モジュールによって前記複数の広告の位置のうち優先順位広告の位置の順位落札広告主が所定の対応領域条件を満たしていないと判断され、下位優先順位広告である落札広告主が前記対応領域条件を満たしていると判断される場合には、前記下位優先順位広告の落札広告の広告情報を、前記優先順位広告の位置にさらされ ようにする制御モジュールを含み、前記対応領域条件は、広告主の広告主対応位置に基づいて設定される対応領域が前記の位置が含まれている場合に満足すると判断されることを特徴とすることができる。
【発明の効果】
【００４１】
本発明の一実施例によると、地域単位（例えば、一定の行政区域や本発明に係るサービスを提供するプラットフォーム事業者によって任意に区分されている地域単位など）を入札の対象とすることで、広告主が所定の位置（例えば、広告主の店や会社の位置）に基づいて、一定の範囲内でサービスを提供しようとする場合、広告主に効果的でありながら公正な広告露出の機会を提供することができる効果がある。
【００４２】
また、クライアント端末上で広告が露出される位置別にビディングを通じた広告主を選定するが、広告主の広告露出回数に応じた経済的負担を合理的に制限するために、広告の位置別に所定の過去の期間中の広告効果を合理的に計算して広告主に提供することにより、これらの広告の効果を考慮して過剰な広告費用を負担しないようにする効果がある。
【００４３】
また、地域単位を入札の対象とし、入札結果に基づいて露出される広告を決定するが、入札の結果に基づいて広告が露出される領域だけでなく、入札の結果とは無関係に広告情報が露出される領域を一緒に提供することで、入札の結果に応じて広告が露出されることで特定の広告主によって広告が独占されるのを防ぐことができるだけでなく、ユーザーにも提供される広告情報がコストによって制限されることを防ぐことができる効果がある。
【００４４】
また、露出する広告を決定する際に、広告主対応位置に基づいて、一定の対応領域を設定することにより、実際のサービス提供実態を考慮した広告情報の露出が可能にすることができ、これにより、特定の広告主によってサービス提供実態と無関係に露出される広告情報が独占されるのを防ぐことができ、公平な機会を広告主に提供することができる効果がある。
【図面の簡単な説明】
【００４５】
本発明の詳細な説明で引用される図面をより十分に理解するために、各図面の簡単な説明が提供される。
【００４６】
【図１】は、本発明の一実施形態に係るロケーションベース広告方法を実装するための概略的なシステム構成を説明するための図である。
【００４７】
【図２】は、本発明の一実施形態に係るロケーションベース広告システムの概略的な構成を説明するための図である。
【００４８】
【図３】は、本発明の一実施形態に係るロケーションベース広告方法による広告領域を説明するための図である。
【００４９】
【図４】は、本発明の一実施形態に係るロケーションベース広告方法による入札の対象となる地域単位と対応領域の概念を説明するための図である。
【００５０】
【図５】は、本発明の一実施形態に係るロケーションベース広告方法による、ユーザーの位置別に露出される広告情報が決定される過程を説明するための図である。
【００５１】
【図６】は、本発明の一実施形態に係るロケーションベース広告方法による対応領域が設定されている概念を説明するための図である。
【００５２】
【図７】は、本発明の一実施形態に係るロケーションベース広告方法による、複数の広告主対応位置が設定されることができる概念を説明するための図である。
【符号の説明】
【００５３】
１００：ロケーションベース広告システム
１１０：制御モジュール
１２０：クライアントモジュール
１３０：広告決定モジュール
１４０：ビディングモジュール
２００：クライアント端末
３００：広告ＤＢ
４００：広告主端末
【発明を実施するための形態】
【００５４】
本発明は、様々な変換を加えることができ、いくつかの実施例を有することができるが、特定の実施例を図面に例示して詳細に説明する。しかし、これは本発明を特定の実施形態について限定するものではなく、本発明の思想及び技術範囲に含まれるすべての変換、均等物ないし代替物を含むものと理解されるべきである。
【００５５】
本発明を説明するにあたって、関連する公知技術に対する具体的な説明が本発明の要旨を曖昧にすることができていると判断される場合、その詳細な説明を省略する。
【００５６】
第１、第２などの用語は、様々な構成要素を説明するために使用されることができるが、前記の構成要素は、前記の用語によって限定されてはならない。前記の用語は、一つの構成要素を他の構成要素から区別するためにのみ使用される。
【００５７】
本出願で使用した用語は、単に特定の実施例を説明するために使用されたもので、本発明を限定する意図ではない。単数の表現は、文脈上明らかに別の意味で使用しない限り、複数の表現を含む。
【００５８】
本明細書において、「含む」または「有する」などの用語は、明細書上に記載された特徴、数字、ステップ、動作、構成要素、部品またはこれらを組み合わせたものが存在することを指定しようとするのであって、一つまたはそれ以上の他の特徴や数字、ステップ、動作、構成要素、部品またはこれらを組み合わせたものの存在又は付加可能性を予め排除しないものと理解されるべきである。
【００５９】
また、本明細書においては、いずれかの構成要素が他の構成要素にデータを「送信」する場合には、前記の構成要素は、前記の他の構成要素に直接前記データを転送することができ、少なくとも一つの別の構成要素を介して前記データを前記他の構成要素に転送することもできることを意味する。逆にいずれかの構成要素が他の構成要素にデータを「直接送信」する場合には、前記の構成要素から別の構成要素を通さず、前記の他の構成要素として、前記データが送信されることを意味する。
【００６０】
以下、添付された図面を参照して、本発明の実施例を中心に、本発明を詳細に説明する。各図面に提示された同一の参照符号は、同じ部材を示す。
【００６１】
図１は、本発明の一実施形態に係るロケーションベース広告方法を実装するための概略的なシステム構成を説明するための図である。
【００６２】
図１を参照すると、本発明の実施形態に係るロケーションベース広告方法を実装するためには、ロケーションベース広告システム１００が備えられる。前記ロケーションベース広告システム１００は、少なくとも一つのクライアント端末２００と有無線通信を介して、本発明を実施するために必要な情報を送受信することができる。一例として、前記ロケーションベース広告システム１００は、前記クライアント端末２００に所定の広告情報を提供することができる。
【００６３】
前記ロケーションベース広告システム１００は、複数の広告主端末４００と通信を行うこともできる。前記広告主端末４００は、本発明の技術的思想に基づいて、前記ロケーションベース広告システム１００を介して広告を実行したい広告主が利用する端末を意味することができる。広告主端末４００は、前記ロケーションベース広告システム１００と通信を遂行しながら、本発明の技術的思想を具現するために必要な情報を送受信することができる任意のデータ処理装置（例えば、コンピュータ、携帯電話、ＩＰＴＶなど）で実装されてもよい。
【００６４】
前記ロケーションベース広告システム１００は、前記広告主端末４００と通信を遂行しながら、所定のビディングを行うことができる。ビディング結果に応じて前記ロケーションベース広告システム１００は、前記広告ＤＢ３００に格納された広告情報のうち選択的に前記クライアント端末２００に広告を露出することができる。
【００６５】
前記の広告ＤＢ３００は、広告主の広告情報を保存してあることができる。前記の広告ＤＢ３００には、広告情報だけでなく、本発明の技術的思想を具現するための様々な情報が広告情報のそれぞれに対応するように保存されてあることができる。例えば、特定の広告情報は、前記広告情報に対応する広告主の情報、ビディング結果、特定の地域単位を落札されたかどうか、落札された場合、対応する地域単位および/または対象分類（例えば、商品、サービス、または商品やサービスのカテゴリーなど）についての情報が保存されてあることができる。所定の広告情報が落札されていないにせよ、前記の広告情報には対応する対象分類、広告主の情報などが対応するように保存されていることができる。
【００６６】
前記の広告ＤＢ３００は、前記ロケーションベース広告システム１００とは別の物理デバイスに実装されることもあるが、前記ロケーションベース広告システム１００に含まれ実装されることもあるのは無論である。前記ロケーションベース広告システム１００は、前記クライアント端末２００の位置及び前記クライアント端末２００のアクション（例えば、特定の対象分類を選択した場合など）に応じて前記広告ＤＢ３００に格納された広告情報の中で、前記クライアント端末２００に露出される広告を決定することができる。そして、前記ロケーションベース広告システム１００は、決定した広告情報を、前記クライアント端末２００に露出するようにすることができる。前記クライアント端末２００に広告情報を露出するためには、前記ロケーションベース広告システム１００は、広告情報を前記クライアント端末２００に送信することもできる。
【００６７】
また、前記の広告情報が露出される位置を決定し、決定された位置に広告情報が露出するように所定の制御を実行することもできる。実装例によっては、前記ロケーションベース広告システム１００は、前記クライアント端末２００に所定の広告情報が予め保存されている場合は、保存された広告情報を、必要な時必要な位置に露出するようにすることで、広告情報が前記クライアント端末２００に露出するようにすることができる。
【００６８】
前記広告情報は、広告主がクライアント端末２００に露出されることを希望する情報を意味することができる。前記広告情報は、例えば、広告主の店の情報（例えば、店の名前、店の位置、店で提供する商品やサービスに関する情報、連絡先、および/または営業時間など）を含むこともできる。また、前記広告情報は、露出されるように設定された情報を格納するだけであれば、どのようなデータ形式（例えば、画像、テキスト、ビデオ、および/またはオーディオ情報など）で実装されることもできる。
【００６９】
前記ロケーションベース広告システム１００は、本発明の技術的思想に基づいて、クライアント端末２００に広告情報を露出するためのシステムを意味することができる。前記ロケーションベース広告システム１００は、所定のサービスシステム（未図示）と有無線で接続されて前記サービスシステム（未図示）が提供するサービスプラットフォーム（例えば、アプリケーション、またはＷｅｂページなど）に前記広告情報を露出することもできる。前記ロケーションベース広告システム１００と、前記サービスシステム（未図示）は別々に実装されることがあるが、一つのシステムとして実装されることもあることを、本発明の技術分野の平均の専門家は、容易に推測することができるだろう。
【００７０】
一例によれば、前記ロケーションベース広告システム１００の技術的思想が適用され、広告が露出されるサービスプラットフォームは、複数の広告主が所定の位置（例えば、広告主の店の位置、または任意に設定された位置）に基づいて、一定領域内で、広告主のそれぞれに対応するサービス（例えば、商品の販売やサービスの提供など）を提供しようとする場合に使用されることができる。例えば、店の位置を基準に一定の範囲内で商品の販売および/または配信（配送）などを提供しようとする広告主が、前記サービスプラットフォームを利用することもできる。無論、本発明の技術的思想を容易に説明するために、これらの商品の販売および/または配信のためのサービスプラットフォームを一例としてするが、本発明の技術的思想は、これに限定されず、どのような媒体（アプリケーション、Ｗｅｂページなど）にも適用できることは勿論である。
【００７１】
前記ロケーションベース広告システム１００は、広告主から所定の広告の位置に地域単位を対象にビディングを行うことができる。前記地域単位は、あらかじめ決められた行政区域（例えば、棟、邑、村、区、市など）を意味することもあり、必要に応じて任意に区分される領域の単位であることもある。
【００７２】
本発明の技術的思想によれば、地域単位を対象に入札を行った結果と、前記のサービスシステムが提供するサービスを利用しようとするクライアント端末２００の位置に基づいて決定される広告が露出される領域である第１広告領域が前記サービスプラットフォームに実装されることができる。前記第１広告領域に露出される広告については、第１広告情報と定義することにする。
【００７３】
一方、本発明の技術的思想によれば、前記クライアント端末２００に表示されるサービスプラットフォームには、前記第１広告領域のみが実装されるかもしれないが、前記第１広告領域とは区分されている第２広告領域がさらに実装されることもできる。前記第２広告領域に露出される広告については、第２広告情報と定義することにする。
【００７４】
前記第２広告領域には、前記ビディングの実行結果とは無関係に露出される広告情報が決定される領域であることがある。
【００７５】
このように、本発明の技術的思想は、前記第１広告領域と前記第２広告領域が前記サービスプラットフォームに実装されるようにすることで、ビディングの結果のみに基づいて広告情報を露出されたり、または広告効果に優れた位置に露出されることを防止して公正な広告が実行されるようにする効果があることがある。
【００７６】
前記第２広告情報は、クライアント端末２００の位置と広告主それぞれの広告主対応位置に基づいて決定されることができる。
【００７７】
前記広告主対応位置は、広告主の営業を代表することができる位置であることがある。前記広告主対応位置は、所定の基準に基づいて自動的に決定（例えば、広告主の店の位置）になることもあり、広告主の意図に応じて任意に設定されている位置でもある。また、本発明の技術的思想によれば、広告主別に複数の広告主対応位置を設定できるようにすることもできる。このように、複数の広告主対応位置を設定できるようにする場合には、広告主は、自分の店の位置と自分が任意に設定した位置を広告主対応位置として設定することにより、本発明の技術的思想に基づくサービスプラットフォームをより効果的に利用しながら、営業および/または広告の期待効果を高めることもできる。
【００７８】
一方、本発明の技術的思想によれば、広告主が行うビディングには、対象分類別に区分されて実行されることもある。前記対象分類は、広告主が提供するサービスや商品を所定の基準に分類した結果であることがある。例えば、前記対象分類は、特定の商品（例えば、チキン屋（韓国の唐揚げ専門店））を意味することもあり、前記の特定の商品を含む一定のカテゴリー（例えば、韓国料理、粉食など）を意味することもできる。いずれの場合も、前記ロケーションベース広告システム１００は、前記対象分類別に地域単位を対象とする入札を行うことができる。したがって、特定の地域単位で、第１ターゲット分類を落札した広告主と第２ターゲット分類を落札した広告主は、異なる主体であることができる。したがって、クライアント端末２００が対象分類を特定することができる所定のアクション（例えば、特定の対象分類の選択または検索など）を実行する場合は、特定のされた前記対象分類に対応する広告情報（特定の対象分類を扱うか、または広告の目的とする広告主の広告情報）が、前記クライアント端末２００で公開されることがあるのは無論である。
【００７９】
一方、本発明の技術的思想によれば、広告主別に広告主対応位置を予め設定されることができるのみならず、前記広告主対応位置を基準に設定されている所定の領域、すなわち、広告主の対応領域が定義されることができる。前記の広告主の対応領域は、広告主が提供するサービスのカバレッジを示すことができる領域であることもある。このように、本発明の技術的思想は、広告主の対応領域も前記クライアント端末２００で表示されているサービスプラットフォームでどのような広告を表示させるかを決定する際の考慮要素として含まれてすることで、広告主の実際の営業活動を現実的に広告情報の露出に反映する効果がある。また、これらの広告主の対応領域が定義されることで、特定の広告主によって必要以上の広範囲な地域の範囲は、広告情報を露出することができる地域に独占されることがある問題を解決することができ、公平な機会が提供されることができる効果がある。
【００８０】
また、前記広告主の対応領域は、広告主に対応する対象分類別に、その範囲が異なり決定することもできる。例えば、第１ターゲット分類（例えば、チキン屋、中華料理店など）の場合には、対応する広告主が多数であるか、特定の地域に比較的に広告主対応位置の分布が密集されていることがある。このような場合、前記第１ターゲット分類については、広告主対応位置を基準に相対的に狭い領域（例えば、半径１Ｋｍなど）が広告主の対応領域に設定されることができる。逆に第２ターゲット分類（例えば、韓国料理、和食など）の場合には、対応する広告主が比較的少数であるか、その分布が広く分散している場合がある。したがって、第２ターゲット分類については、広告主対応位置を基準に相対的に広い領域（例えば、３Ｋｍなど）が広告主の対応領域として設定することもできる。
【００８１】
最終的には、本発明の技術的思想に基づく広告主対応領域によって対象分類に対応する広告主の営業状況（例えば、広告主の数、広告主対応位置との間の距離の分布など）に適応的な広告の露出が可能になると同時に、相対的に公正な広告露出機会が提供されることができる効果がある。
【００８２】
図２は、本発明の一実施形態に係るロケーションベース広告システムの概略的な構成を説明するための図である。
【００８３】
図２を参照すると、本発明の技術的思想に沿ったロケーションベース広告システム１００は、制御モジュール１１０、クライアントモジュール１２０、広告決定モジュール１３０、および/またはビディングモジュール１４０とを含むことができる。
【００８４】
本発明の実施例によっては、上述した構成要素のいくつかの構成要素は、本発明の実施に必須的に必要な構成要素ではない場合があり、また、実施例に基づいて、前記ロケーションベース広告システム１００はこれよりも多くの構成要素を含むこともあるのは無論である。
【００８５】
前記ロケーションベース広告システム１００は、本発明の技術的思想を具現するために必要なハードウェアリソース（ｒｅｓｏｕｒｃｅ）および/またはソフトウェアを備えることができ、必ずしも単一の物理的な構成要素を意味するか、一つのデバイスを意味するものではない。すなわち、前記ロケーションベース広告システム１００は、本発明の技術的思想を具現するために具備されるハードウェアおよび/またはソフトウェアの論理的な結合を意味することができ、必要な場合には互いに離隔したデバイスにインストールされ、それぞれの機能を実行することにより本発明の技術的思想を実装するための論理的な構成の集合として実装されることもできる。
【００８６】
また、前記ロケーションベース広告システム１００は、本発明の技術的思想を具現するための、それぞれの機能や役割ごとに個別に実装されている構成の集合を意味することもできる。例えば、前記制御モジュール１１０、前記クライアントモジュール１２０、前記広告決定モジュール１３０、および/または前記ビディングモジュール１４０は、異なる物理デバイスに位置することも同じ物理デバイスに位置することもできる。例えば、前記の構成のうちの全部または一部は、前記クライアント端末２００に設置されることもできる。
【００８７】
また、実装例に応じては、前記制御モジュール１１０、前記クライアントモジュール１２０、前記広告決定モジュール１３０、および/または前記ビディングモジュール１４０のそれぞれを構成するソフトウェアおよび/またはハードウェアの組み合わせも異なる物理デバイスに位置、異なる物理デバイスの構成が互いに有機的に結合され、それぞれの前記のモジュールを実装することもできる。
【００８８】
また、本明細書ではモジュールとは、本発明の技術的思想を実行するためのハードウェアおよび前記のハードウェアを駆動するためのソフトウェアの機能的、構造的な結合を意味することができる。例えば、前記のモジュールは、所定のコードと前記所定のコードが実行されるため、ハードウェアリソースの論理的な単位を意味することができ、必ずしも物理的に接続されたコードを意味するか、一種類のハードウェアを意味するわけではないことが本発明の技術分野の平均的な専門家には容易に推論することができる。
【００８９】
前記制御モジュール１１０は、前記ロケーションベース広告システム１００に含まれている構成（例えば、前記クライアントモジュール１２０、前記広告決定モジュール１３０、および/または前記ビディングモジュール１４０など）の機能および/またはリソースを制御することができる。
【００９０】
前記クライアントモジュール１２０は、前記クライアント端末２００の位置を 様々な方法で確認することができる。例えば、前記クライアント端末２００から前記位置に関する情報（例えば、ＧＰＳ情報など）を受信することができ、キャリアシステム（未図示）から受信される位置情報（例えば、基地局情報、三角測量による情報など）から受信することもできる。さまざまな方法の実施例が可能である。
【００９１】
前記広告決定モジュール１３０は、広告領域に露出される広告情報を決定することができる。前記クライアント端末２００に表示されるサービスプラットフォームには、第１広告領域が含まれることができる。実装例に応じて、第２広告領域がさらに含まれることができる。前記広告決定モジュール１３０は、第１広告領域に露出される少なくとも一つの第１広告情報および/または前記第２広告領域に露出される少なくとも一つの第２広告情報を決定することができる。
【００９２】
となると、前記制御モジュール１１０は、前述したように第１広告情報および/または第２広告情報をそれぞれ第１広告領域および/または第２広告領域に露出するようにすることができる。
【００９３】
前記広告決定モジュール１３０は、地域単位を対象とするビディングの結果およびクライアント端末２００の位置に基づいて、第１広告情報を決定することができる。例えば、前記広告決定モジュール１３０は、前記の位置を含む地域単位を落札した広告主の広告情報を前記第１広告情報として決定することができる。ビディングは、前記ロケーションベース広告システム１００によって実行されることもあり、様々な他の方法によって行われることもある。前記ロケーションベース広告システム１００がビディングを行う場合、前記ロケーションベース広告システム１００は、前述したように、ビディングモジュール１４０に含むことができる。
【００９４】
無論、クライアント端末２００によって所定の対象分類が特定されるアクションが実行された場合には、前記対象分類と前記地域単位を落札した広告主の広告情報が第１広告情報を決定することができる。つまり、ビディングには、対象分類別に地域単位を対象に実行されることができる。
【００９５】
また、前記広告決定モジュール１３０は、広告主の対応領域をさらに考慮して、前記第１広告情報を決定することができる。例えば、本発明の技術的思想によれば、クライアント端末２００によって特定される対象分類及び前記位置を含む地域単位を落札した広告主の広告情報であっても、広告主の対応領域条件を満たしていないと判断される場合、第１広告情報に決定されないこともある。前記広告対応領域条件は、前記の位置が前記広告対応領域に含まれる場合に満足されると判断される条件であることができる。そして、前記広告主の対応領域は、前述したように、広告主対応位置に基づいて設定される領域であることがある。
【００９６】
一方、前記広告決定モジュール１３０は、第２広告情報を広告主対応位置及び前記位置に基づいて決定することができる。すなわち、前記第２広告情報は、前記ビディングの結果に影響を受けずに決定される広告情報であることがある。前記第２広告情報を決定する際にも、広告主の対応領域条件を満たしているかどうかをより考慮し、満足してこそ第２広告情報で決定されることもある。
【００９７】
前記広告決定モジュール１３０によって第１広告情報および/または第２広告情報が決定されると、前記制御モジュール１１０は、決定された広告情報をそれぞれ対応する広告領域に露出するようにすることができる。また、前記制御モジュール１１０は、後述するように、所定の広告の位置に公開する広告情報が存在しない場合は、他の広告の位置に公開する広告情報を前記広告の位置に露出するように、広告情報の露出位置を制御こともできる。
【００９８】
前記ビディングモジュール１４０は、地域単位ごとに広告主端末４００とビディングを行うことができる。前記サービスプラットフォームに複数の対象分類サービス（例えば、販売、注文、注文の仲介、配送、広報など）されている場合、前記ビディングモジュール１４０は、対象分類別に地域単位をビディングこともできる。
【００９９】
また、前記ビディングモジュール１４０は、合理的に広告の位置別の基準入札価格を、広告主端末４００に提供することができる。
【０１００】
図３は、本発明の一実施形態に係るロケーションベース広告方法による広告領域を説明するための図である。
【０１０１】
図３を参照すると、クライアント端末２００には図３に示すような画面が表示されることができる。
【０１０２】
例えば、前記クライアント端末２００に表示される画面（またはサービスプラットフォーム）には、第１広告領域１０が備えられることができる。また、前記第１広告領域１０には、複数の広告の位置（例えば、１１、１２、１３）が含まれることもある。
【０１０３】
一方、前記クライアント端末２００に表示される画面（またはサービスプラットフォーム）には、第２広告領域２０がさらに備えられることができる。前記第２広告領域も複数の広告の位置が含まれることができる。
【０１０４】
また、図３に示すように、前記の画面には、ユーザーによって特定されたターゲットカテゴリー（例えば、対象分類１、対象分類２、対象分類３など）を表示することができる所定のＵＩ３０がさらに含まことができる。
【０１０５】
第１広告領域１０は、前述したように、広告主が参加したビディングの結果とクライアント端末２００の位置に基づいて決定される広告情報が露出される領域であることがある。また、複数の広告の位置（１１ないし１３）が第１広告領域１０に含まれている場合、ビディングは広告の位置別に別途として実行されることもある。
【０１０６】
前記ビディングモジュール１４０は、第１広告位置１１のビディングを実行するために、複数の広告主端末４００で基準入札価格を提供することができる。前記ビディングモジュール１４０は、前記第１広告位置１１の広告効果を所定の方法で経済的価値に換算して、前記基準入札価格を計算することができる。
【０１０７】
例えば、前記ビディングモジュール１４０は、第１広告位置１１を介して、過去一定期間（例えば、過去数日、先月など）の間に発生した注文の経済価値に基づいて前記第１広告位置１１の基準入札価格を算定することができる。
【０１０８】
前記の注文は、前記過去一定期間の間、多数のユーザーが前記第１広告位置１１を選択することにより、発生した注文を意味することができる。前記の注文は、例えば、商品の購入注文、サービス（例えば、様々な配信サービスなど）の購入注文などのサービスプラットフォームによって異なる場合がある。無論、経済価値を算出するための前記の注文も入札の対象となる対象分類と地域単位に相当する注文に制限されることがある。例えば、チキン屋に対する第１地域単位をビディングする場合、前記の経済価値を算出するための注文は、前記第１地域単位でチキン屋を注文するために前記第１広告位置１１を選択したと制限されることができる。
【０１０９】
例えば、前記ビディングモジュール１４０は、前記のサービスプラットフォームを介してビディングの対象となる地域単位で前記第１広告位置１１を介してビディングの対象となる対象分類を注文した注文件数はある所定の注文履歴ＤＢ（未図示）から抽出することができる。この時、前記注文はある特定の広告主の広告情報ではなく、複数の異なる広告主の広告情報を通じた注文件であることもある。なぜなら、本発明の技術的思想によれば、特定の地域単位を落札した広告主の広告情報であっても対応領域条件を満たしていない場合には、前記第１広告位置１１に露出される広告情報を決定していない可能性があるからである。したがって、広告情報ではなく、真の広告の位置による広告効果（注文誘導効果）が算出されることができる。
【０１１０】
経済的価値は、前記注文件数の数に基づいて行うことができ、売上高に基づいて決定されることもある。売上高に基づく場合には、前記サービスプラットフォームを提供するサービスシステムから前記ビディングモジュール１４０は、売上高についての情報を受信するか、所定の注文履歴ＤＢ（未図示）から確認することもできる。または正確な売上高を確認していない場合には、平均的な売上高を利用して、注文件別の売上を推定することもできる。その後、前記ビディングモジュール１４０は、前記注文件数の全体の売上高の合計、全体の売上の平均金額、対象分類別利益率など、さまざまな指標を用いて前記基準入札価格を算定することができる。
【０１１１】
このように、前記ビディングモジュール１４０によって前記基準入札価格が提供されている場合には、広告主は実質的には広告の位置を落札することにより得ることができる広告の効果を比較的正確に提供することができる効果があり、これにより余分な広告費用の負担を減らすことができる効果もある。
【０１１２】
前記ビディングモジュール１４０は、このような方法で算定された基準入札価格を広告主端末４００で提供し、前記基準入札価格より高い金額で入札した広告主の中の所定の方法で選択された広告主を落札広告主に決定することができる。落札広告主は、最高入札額を提出した広告主であるかもしれないが、実施形態によっては、中間値を入札した広告主またはその他の様々な方法で落札広告主を選択することもある。
【０１１３】
また、同じ金額で入札した広告主が複数人の場合、前記ロケーションベース広告システム１００は、前記ロケーションベース広告システム１００と連携された前記サービスシステムが提供するサービスプラットフォームで前記複数人の広告主のそれぞれの過去履歴（例えば、前記サービスプラットフォームを使用した期間やサービスプラットフォームに支出した金額、過去一定期間の間、前記サービスプラットフォームで発生した広告主のそれぞれの売上高または注文数など）の情報に基づいて、同じ金額で入札した複数人の広告主のいずれか一人を落札者として選定することもある。
【０１１４】
これらのビディングは広告の位置別（例えば、１１ないし１３）ごとに実行されることができる。
【０１１５】
例えば、特定の対象分類について特定の地域単位を対象に、第１広告位置１１は第１広告主、第２広告位置１２は第２広告主、第３広告位置１３は、第３広告主が落札広告主として決定されることができる。
【０１１６】
これにより、前記の特定の地域単位内にあるクライアント端末２００が前記特定の対象分類を選択するアクションを実行する場合は、第１広告領域１０に含まれた第１広告位置１１には第１広告主の広告情報が、第２広告位置１２には第２広告主の広告情報が、第３広告位置１３には第３の広告主の広告情報が落札広告主として決定されることができる。
【０１１７】
一方、前述したように、本発明の技術的思想によれば、第１広告領域１０に露出される広告情報を決定するために、広告主の対応領域が考慮されることもある。広告主の対応領域は、所定の基準で設定された広告主の営業範囲またはカバレッジを意味することもできる。このような場合には、広告決定モジュール１３０は、広告主の対応領域を満たしていない広告主の広告情報は、たとえ落札広告主であっても落札広告主の広告情報が、第１広告領域１０にさらされないように、広告情報を決定することもできる。
【０１１８】
例えば、クライアント端末２００の位置が特定地域単位内に含まれている場合には、前記の特定の地域単位は、前述したように、第１広告主、第２広告主、及び第３広告主がそれぞれ第１広告位置１１、第２広告位置１２、及び第３広告位置１３を落札することができる。
【０１１９】
この時、前記クライアント端末２００の位置が第１広告主、第２広告主、および/または第３の広告主それぞれの広告主対応領域には含まれていないことがある。つまり、入札の対象となる地域単位と広告主の対応領域は一致しないことがあり、これにより、たとえ特定の地域単位内のクライアント端末２００が配置され、前記の特定の地域単位を落札した落札広告主が存在しても、前記クライアント端末２００の位置は、落札広告主の対応領域に含まれない場合が発生することがある。このように、前記の位置が、広告主の対応領域に含まれていない場合には、第１広告領域１０と同様に、第２広告領域２０にも対応する広告主の広告情報は公開されないように決定することができる。これは、広告主の対応領域に含まれていない位置に、たとえ広告情報が露出されてもサービスが提供されないことを意味することができるからである。
【０１２０】
例えば、前記の例では、第１広告主のみが広告主の対応領域条件を満足して（つまり、クライアント端末２００の位置が、広告主の対応領域に格納され）、第２広告主及び第３の広告主は、広告主の対応領域条件を満足していないと仮定することができる。このような場合、第２広告主及び第３の広告主は、地域単位を落札した広告主であっても、広告情報が露出されないことがある。すなわち、第１広告位置１１のみに、第１広告主の広告情報が露出され、第２広告位置１２及び第３広告位置１３には、何の広告情報も露出されていないことがある。
【０１２１】
もし、前記クライアント端末２００に対して第１広告主が広告主の対応領域条件を満たしていなく、第２広告主及び第３の広告主は、広告主の対応領域条件を満足することができる場合、第１広告位置１１には何の広告情報が露出されず、第２広告位置１２及び第３広告位置１３には、第２広告主及び第３の広告主の広告情報が露出されることもある。
【０１２２】
しかし、本発明の他の実施例によれば、優先度の高い順位の広告の位置（例えば、第１広告位置１１）の落札広告主（例えば、第１広告主）の広告情報が露出されないように決定された場合、前記広告決定モジュール１３０は、下位優先順位広告（例えば、第２広告位置１２）の落札広告主（例えば、第２の広告主）の広告情報が前記優先順位広告の位置（例えば、１１）に露出するように決定することもできる。したがって、これらの場合、第１広告位置１１には第２広告主の広告情報が露出され、第２広告位置１２には、第３の広告主の広告情報が露出されることもある。また、このような場合、前記第１広告位置１１には、クライアント端末２００の位置に基づいて、第１広告主、第２広告主、および第３広告主の広告情報が露出されることもある。すなわち、前記の広告の位置（１１ないし１３）のそれぞれについて、ビディングを実行し、ビディングの結果に基づいて広告の位置別に落札広告主が存在する場合であっても、特定の広告の位置にさらされている広告情報は、クライアント端末２００の位置に応じて、異なる広告主のものであることができる。
【０１２３】
一方、第２広告領域２０は、前述したように、ビディングの結果に関係なく、広告主のそれぞれの広告主対応位置と前記クライアント端末２００の位置に基づいて露出される広告情報が決定されることができる。ビディングの結果が無関係とは、ビディングに参加していないか、またはビディングに参加しても落札されなかった広告主の広告情報が露出されることがあることを意味することができる。
【０１２４】
このように、本発明の技術的思想によれば、第２広告領域２０を介して広告情報をより提供することができ、これにより、入札に参加した広告主だけの広告情報がサービスプラットフォーム上に提供されている場合の問題点を解決することができる。例えば、第２広告領域２０は、クライアント端末２００の位置を含む地域単位の未落札者の広告情報が露出される領域であることができる。無論、この時にも広告主の対応領域条件を満たしている広告主の広告情報のみが前記第２広告領域２０に露出されることができる。また、第２広告領域２０に複数の広告の位置が存在する場合には、優先順位広告の位置（例えば、クライアント端末２００の上位に位置する広告の位置）には、前記クライアント端末２００の位置を基準に広告主対応位置の距離が近い順に、広告主の広告情報が露出されることができる。したがって、ユーザーの立場では、第２広告領域２０を介してビディングの結果ではなく、より意味のある情報（例えば、現在の自分の位置に近い所の位置など）を獲得することもできる。また、必ず入札に参加していないか、または落札されていない広告主も、ユーザーに広告情報が漏洩することができる機会が提供される効果がある。
【０１２５】
一方、上述したように、ビディングの対象となる地域単位と広告主の対応領域の概念は、図４を参照して、より詳細に説明する。
【０１２６】
図４は、本発明の一実施形態に係るロケーションベース広告方法による入札の対象となる地域単位と対応領域の概念を説明するための図である。
【０１２７】
図４は、所定の地図情報上に、特定の広告主の広告主対応位置４０、落札された地域単位（例えば、５０と５１）、および広告主対応領域６０を表示している一例である。
【０１２８】
例えば、前記広告主対応位置４０は、前記の特定の広告主の店の位置であることができる。または前記特定の広告主の店がない場合、または必要としない場合、または前記特定の広告主の営業戦略に基づいて店の位置に関係なく、任意に前記特定の広告主によって前記広告主対応位置４０が決定されることもある。これらの広告主別の広告主対応位置については、前記の広告ＤＢ３００に予め格納されることができる。
【０１２９】
また、図４に示すように、前記特定の広告主は、第１地域単位５０及び第２の地域単位５１を所定のビディングを通じて落札した広告主であることがある。図４に示すように、広告主は、複数の地域単位を落札することもあり、サービスポリシーに基づいて、広告主別に一つの地域単位だけ落札する前記ロケーションベース広告システム１００が実装されることもある。
【０１３０】
また、前記特定の広告主の広告主対応領域６０は、図４に示されるようなことがある。前記広告主対応領域６０は、前記広告主対応位置４０に基づいて所定の半径内に属する領域であることもある。このような場合、図４に示すように前記広告主対応領域６０は、円形の領域として定義されることもできる。無論、実施例に基づいて、他の方法で、広告主の対応領域が設定されることもある。例えば、特定の方向には、広告主対応位置４０に基づいて、より広い距離をカバーすることができるように、広告主の対応領域が設定されることもある。この時にも、広告主の対応領域は、広告主対応位置４０に基づいて予め定められた基準にして設定されることがある。
【０１３１】
また、前記広告主の対応領域を設定する前記半径は、さまざまな要因に基づいて適応的に決定されることもある。例えば、前述したように、対象分類別に前記半径を無造作に決定することができる。例えば、対象分類がチキン屋の場合、相対的に多くのチキン屋店が存在し、このような場合、前記の半径は比較的狭く設定することができる。例えば、対象分類が豚足（韓国の豚肉料理）の場合、豚足を販売および/または配信する業者は、比較的チキン屋よりその数が少ないか、広い間隔で分布することがある。したがって、これらの場合、前記の半径は比較的広く設定することができる。前記制御モジュール１１０は、対象分類別に対応する広告主の広告主対応位置や店の位置を考慮して適応的に対象分類別半径を設定することができる。実装例によっては、サービスポリシーに基づいて、特定の広告主には、より広い半径を設定することができ、必要に応じて広告主の対応領域を適応的に設定することもできる。
【０１３２】
これらの広告主の対応領域は、広告主の間で相対的な公正な営業機会を提供する意味を持つことができる。または広告主がユーザーに提供するサービスが一定の範囲内に制限されている場合（例えば、宅配業など）、実質的には、広告主の営業範囲を代弁する機能を行うこともできる。その他のサービスプラットフォームに応じて広告主の対応領域が設定される必要は異なる場合がある。
【０１３３】
したがって、前記広告対応領域は、クライアント端末２００が所定の位置に存在する場合に、特定の広告主の広告情報を露出することができる重要な考慮要素になることがある。そして、前述したように、広告の位置を落札した落札広告主も、クライアント端末２００の位置が、広告主の対応領域条件を満たしていない場合（つまり、前記広告主対応領域６０内にクライアント端末２００の位置が存在しない場合）には、前記落札広告主の広告情報が前記クライアント端末２００に露出されていないことがある。
【０１３４】
クライアント端末２００の位置と落札した地域単位と広告主の対応領域の両方を考慮した広告情報の露出の日には、図５を参照して説明する。
【０１３５】
図５は、本発明の一実施形態に係るロケーションベース広告方法による、ユーザーの位置別に露出される広告情報が決定される過程を説明するための図である。
【０１３６】
図５を参照すると、特定の広告主の広告主対応位置４０、落札地域単位（５０、５１）と広告主対応領域６０が図４で説明したような場合には、クライアント端末２００の位置に基づいて、前記特定の広告主の広告情報が露出される位置が異なる場合がある。
【０１３７】
例えば、クライアント端末２００の位置がＡである場合、前記クライアント端末２００の位置は、前記特定の広告主の落札地域単位に含むことができる。そして、前記位置は、前記特定の広告主の広告主対応領域６０にも含まれている場合もある。このような場合、前記の特定の広告主の広告情報は、第１広告領域１０の落札された広告の位置（例えば、１１、１２、または１３）に露出されることがある。
【０１３８】
もし、クライアント端末２００の位置がＢである場合、前記の位置は、前記特定の広告主の落札地域単位ではないので、第１広告領域１０に前記特定の広告主の広告情報が露出されないことがある。代わりに、前記の位置が前記特定の広告主の広告主対応領域６０内であるため、前記の特定の広告主の広告については、第２広告領域２０に露出されることがある。
【０１３９】
もし、クライアント端末２００の位置がＣである場合、前記の位置は、前記特定の広告主の落札地域単位ではあるが、前記の特定の広告主の対応領域内ではないので、第１広告領域１０と同様に、第２広告領域２０にも露出されないことがある。
【０１４０】
無論、実施形態によっては落札地域単位内のクライアント端末２００が位置する場合（例えば、Ｃの位置）には、たとえ第１広告領域１０には、前記の特定の広告主の広告情報が露出されていなくても、第２広告領域２０には、広告情報が露出するようにすることもできる。すなわち、前記第２広告領域２０は、広告主の対応領域を考慮せずに対象分類が対応するだけで、どのような広告主の広告情報も露出されるように設定されることもできる。
【０１４１】
一方、位置Ｃのように所定の位置には、特定の広告主の落札地域単位内でありながら、広告主対応領域に含まれていない場合が発生することがある。これは落札の対象となる地域単位が広告主の対応領域と一致していないために発生することもあり、このような場合、前記の特定の広告主には不合理な広告費用を必要とする結果をもたらすことがある。
【０１４２】
このため、本発明の技術的思想によると、落札の対象となる地域単位を所定の行政区域別に区分するが、広告主の対応領域を広告主対応位置を基準に画一的に一定の半径に設定するのではなく、所定の方法で前記広告主の対応領域を一部調整するようにする。
【０１４３】
例えば、所定の端末（例えば、広告主の端末又は前記ロケーションベース広告システム１００の主体が利用する端末等）によって地図情報上で、前記広告主対応領域６０を描画したり、自動的に落札地域単位は含まれるように広告主の対応領域が調整されることもある。
【０１４４】
これらの一例は、図６を参照して説明する。
【０１４５】
図６は、本発明の一実施形態に係るロケーションベース広告方法による対応領域が設定されている概念を説明するための図である。
【０１４６】
図６を参照すると、図５に示すように、特定の広告主の広告主の対応領域は、広告主対応位置４０を基準に一定の半径内に属する基準領域６０−１を基準に設定されることができる。そして、前記基準領域６０−１に落札地域単位の一部（例えば、位置Ｃを含み、前記基準領域６０−１には含まれていない領域、６０−２）が含まれない場合、前記広告主の対応領域は、前記基準領域６０−１を基準にして、前記の一部（６０−２）の領域が含まれるように調整されることもできる。例えば、前記広告決定モジュール１３０は、自動的に前記の一部（例えば、６０−２）の領域を広告主対応領域に含むこともでき、広告主の端末から、または前記ロケーションベース広告システム１００の従業員の端末から前記一部（例えば、６０−２）の領域を特定するための図面のアクションを入力受けて、前記図面アクションによって特定される前記の一部（例えば、６０−２）の領域を前記広告主の広告主対応領域として含むこともできる。例えば、前記ロケーションベース広告システム１００は、端末に所定のＵＩ６１を提供し、前記ＵＩ６１を介して、広告主の対応領域を調整するための図面のアクションを実行するようにすることができる。前記図面アクションを介して前記端末は、前記一部（例えば、６０−２）の領域を特定することができる。このような場合、前記の広告主の広告主の対応領域は、図５に図示されたものに比べて、前記の一部（例えば、６０−２）の領域が追加されるように拡張することもできる。
【０１４７】
実装例に応じては、前記広告対応領域は、予め設定された同じ領域の広さを持つように決定されることがあり、このような場合、前記の一部（例えば、６０−２）の領域が追加で、広告主の対応領域に設定された場合には、他の領域を広告主に対応領域で自動または手動で除外するようにすることもできる。
【０１４８】
または、前述したように、前記広告主の対応領域は、広告主対応位置を基準に一定の半径内に自動的に設定されるのではなく、最初から所定の端末によって実行される図面アクションを使用して設定することもできる。
【０１４９】
様々な方式の広告主対応領域の設定が可能である。
【０１５０】
一方、広告主の対応領域が、広告主対応位置を基準に所定の方法で設定されている場合には、広告主対応位置がどのように設定されるかが、広告主の営業や広告戦略に重要な意味を持つことができる。
【０１５１】
したがって、本発明の技術的思想は、前記広告主対応位置は、単に広告主の店の位置だけでなく、必要に応じて広告主の意図に応じて任意に選択される位置に設定されるようにすることもでき、必要に応じてサービスポリシーに基づいて広告主に相当する広告主対応位置が複数個設定されることを可能にすることもできる。
【０１５２】
これらの一例は、図７を参照して説明する。
【０１５３】
図７は、本発明の一実施形態に係るロケーションベース広告方法による、複数の広告主対応位置が設定されることができる概念を説明するための図である。
【０１５４】
図７を参照すると、所定の広告主には、図７に示すように、複数の広告主対応位置に（例えば、４０、４１）が設定されることができる。そして、それぞれの広告主対応位置に（例えば、４０、４１）ごとに一定の半径内に属する領域（例えば、６０と６０−２）が前記広告主の広告主の対応領域に設定することもできる。
【０１５５】
このように、複数の広告主対応位置に（例えば、４０、４１）を設定できるようにする場合には、広告主別に営業範囲をより広く設定する必要があるか、広告主の営業環境がより広い範囲をカバーすることができる場合が存在することができるため、画一的に広告主の営業範囲を決定するのではなく、これらの実質的な営業環境を考慮して、広告戦略を提供することができるようにする効果がある。
【０１５６】
無論、サービスポリシーに基づいて、複数の広告主対応位置を設定した広告主に一定の手数料をさらに課すこともできる。
【０１５７】
本発明の技術的思想に沿ったロケーションベース広告システム１００及び前記ロケーションベース広告システム１００が実行されるロケーションベース広告方法は、様々なサービスプラットフォームに適用することができる。例えば、食品の配達サービスを、その店に直接注文するか、注文を仲介するサービスプラットフォームに適用することができる。しかし、これに限定されず、必要に応じてさまざまなサービスプラットフォームに、本発明の技術的思想が適用されることができる。特にユーザーの位置に応じて異なる広告情報を露出する必要がありながらも、広告主が一定の地域の範囲内に位置するユーザーに選択的に広告情報を露出させることを希望するサービスプラットフォームに特に有効であることがある。
【０１５８】
一方、本発明の実施形態に係るロケーションベース広告方法は、コンピュータが読み取り可能なプログラム命令の形で実装されてコンピュータで読み取り可能な記録媒体に保存することができ、本発明の実施形態に係る制御プログラムとターゲットプログラムもコンピュータに読み取り可能な記録媒体に保存することができる。コンピュータが読み取り可能な記録媒体は、コンピュータシステムによって読み取ることができるデータが格納されているすべての種類の記録装置を含む。
【０１５９】
記録媒体に記録されるプログラム命令は、本発明のために特別に設計されて構成されたもの、またはソフトウェアの分野当業者に公知されて使用可能なものであることもある。
【０１６０】
コンピュータで読み取り可能な記録媒体の例には、ハードディスク、フロッピーディスク、および磁気テープのような磁気媒体（ｍａｇｎｅｔｉｃ  ｍｅｄｉａ）、ＣＤ−ＲＯＭ、ＤＶＤなどの光記録媒体（ｏｐｔｉｃａｌ  ｍｅｄｉａ）、フロップティカルディスク（ｆｌｏｐｔｉｃａｌ  ｄｉｓｋ）のような自己 - 光媒体（ｍａｇｎｅｔｏ−ｏｐｔｉｃａｌ  ｍｅｄｉａ）とロム（ＲＯＭ）、レム（ＲＡＭ）、フラッシュメモリなどのようなプログラム命令を保存して実行するように特別に構成されたハードウェアデバイスが含まれる。また、上述した媒体は、プログラム命令、データ構造などを指定する信号を伝送する搬送波を含む光または金属線、導波管などの伝送媒体であることもできる。また、コンピュータが読み取り可能な記録媒体は、ネットワークに接続されたコンピュータシステムに分散されて、分散方式でコンピュータが読み取り可能なコードが保存され、実行されることができる。
【０１６１】
プログラム命令の例には、コンパイラによって作られるような機械語コードだけでなく、インタプリタなどを使用して電子的に情報を処理する装置、例えば、コンピュータによって実行されることができる高級言語コードを含む。
【０１６２】
上述したハードウェアデバイスは、本発明の動作を実行するための一つ以上のソフトウェアモジュールとして動作するように構成することができ、その逆も同様である。
【０１６３】
前述した本発明の説明は、例示のためのものであり、本発明が属する技術分野の通常の知識を有する者は、本発明の技術的思想や必須の特徴を変更せず、他の具体的な形で容易に変形が可能であることを理解することができるであろう。したがって、以上で記述した実施例は、すべての面で例示的なものであり限定的ではないと理解しなければならない。例えば、単一型で説明されている各構成要素は、分散されて実施されることがあり、同様に分散されたものと説明されている構成要素も結合された形態で実施することができる。
【０１６４】
本発明の範囲は、前記の詳細な説明ではなく、後述する特許請求の範囲によって表示され、特許請求の範囲の意味及び範囲そしてその均等概念から導き出されるすべての変更または変形された形態が本発明の範囲に含まれるものと解釈されるべきである。
【産業上の利用可能性】
【０１６５】
本発明は、ロケーションベース広告方法とそのためのシステムに使用することができる。
【図１】
2019501449.tif 000003
【図２】
2019501449.tif 000004
【図３】
2019501449.tif 000005
【図４】
2019501449.tif 000006
【図５】
2019501449.tif 000007
【図６】
2019501449.tif 000008
【図７】
2019501449.tif 000009
【国際調査報告】
2019501449.tif 000010
2019501449.tif 000011
2019501449.tif 000012
2019501449.tif 000013